(57)【要約】【課題】従来の映像表示装置は、出力する垂直同期信号の周期が入力される垂直同期信号の周期と異なる。そのため、両者の長短の関係により、一定周期のフレーム落ち、又は同一フレームの２度書きが発生し、映像が不連続に表示されるという問題がある。そこで本発明は、表示手段における映像の不連続表示の頻度を低減することが可能な信号処理装置を提案することを目的とする。【解決手段】第１の読み出し周期による読み出しと第２の読み出し周期による読み出しとが繰返し切り替えられるように読み出し周期を制御する。【選択図】        図１
2010204253.tif 000002
【特許請求の範囲】
【請求項１】
画像信号に含まれる画像データを記録する画像データ記録手段と、
前記画像信号に対応する垂直同期信号に基づいた書き込み周期で、前記画像データ記録手段に前記画像データを書き込む書き込み手段と、
前記画像データを表示する表示手段の表示周期に対応して離散的に存在する複数の読み出し周期のうち、前記書き込み周期よりも長い第１の読み出し周期、及び前記書き込み周期よりも短い第２の読み出し周期で、前記画像データ記録手段から前記画像データを読み出す読み出し手段と、
前記読み出された画像データを前記表示手段に出力する出力手段と、
前記第１の読み出し周期による読み出しと前記第２の読み出し周期による読み出しとが周期的に切り替えられるように前記読み出し手段を制御する読み出し制御手段と
を備えることを特徴とする信号処理装置。
【請求項２】
前記読み出し制御手段は、前記第１の読み出し周期及び前記第２の読み出し周期のうち、前記書き込み周期との差が小さい方の読み出し周期で前記画像データを読み出す期間よりも、前記書き込み周期との差が大きい方の読み出し周期で前記画像データを読み出す期間の方が短くなるように、前記読み出し手段を制御すること
を特徴とする請求項１に記載の信号処理装置。
【請求項３】
前記第１の読み出し周期及び前記第２の読み出し周期は、前記書き込み周期を挟んで隣接する周期であることを特徴とする請求項２に記載の信号処理装置。
【請求項４】
前記読み出し制御手段は、前記第１の読み出し周期で前記画像データ記録手段から読み出される画像データ数と前記第１の読み出し周期との積と、前記第２の読み出し周期で前記画像データ記録手段から読み出される画像データ数と前記第２の読み出し周期との積との和が、前記画像データ記録手段に書き込まれた画像データ数と前記書き込み周期との積と等しくなるように、前記読み出し手段を制御することを特徴とする請求項１から３のいずれか１項に記載の信号処理装置。
【請求項５】
請求項１から４のいずれかに記載の信号処理装置と、
前記信号処置装置から出力された画像データを表示する表示手段と
を備える映像表示装置。
【発明の詳細な説明】
【技術分野】
【０００１】
本発明は、入力された映像信号を蓄えるフレームメモリーを備える信号処理装置、及び当該信号処理装置を用いた映像表示装置に関する。
【背景技術】
【０００２】
従来の液晶テレビなどの映像表示装置には、映像を表示させる際に、装置に入力される垂直同期信号の周期とは異なり、映像表示装置に対応した表示周期で表示させるものがある。このような映像表示装置として、入力される垂直同期信号の周期を基準に画像信号をフレームメモリーに蓄える一方で、表示手段へ出力する垂直同期信号の周期を基準にフレームメモリーから画像信号を読み出すものがある（特許文献１）。この装置では、入力の垂直同期信号の周期に関係なく、表示手段への垂直同期信号の周期を安定的に一定にすることができるので、入力される垂直同期信号の周期の変化などにより発生するノイズ表示などを考慮することなく装置の設計を行うことができる。
【先行技術文献】
【特許文献】
【０００３】
【特許文献１】特開２００１−８３９２８号公報
【発明の概要】
【発明が解決しようとする課題】
【０００４】
しかし、出力する垂直同期信号の周期が、入力される垂直同期信号の周期と異なるので、これら入出力の周期差がずれとして蓄積されていく。蓄積されたずれが所定以上の大きさになると、フレーム落ち、又は同一フレームの２度書きが発生し、映像が不連続に表示される。特許文献1のような従来の映像表示装置においては、出力する垂直同期信号の周期と入力される垂直同期信号の周期は変化しないため、蓄積されるずれは画像データが読み出される度に増加し、ある時間で所定値に達してしまう。従って、映像の不連続の表示が頻繁に発生してしまうという問題がある。
【０００５】
そこで本発明は、表示手段における映像の不連続表示の頻度を低減することが可能な信号処理装置を提案することを目的とする。
【課題を解決するための手段】
【０００６】
本発明に係る信号処理装置は、画像信号に含まれる画像データを記録する画像データ記録手段と、画像信号に対応する垂直同期信号に基づいた書き込み周期で、画像データ記録手段に画像データを書き込む書き込み手段と、画像データを表示する表示手段の表示周期に対応して離散的に存在する複数の読み出し周期のうち、書き込み周期よりも長い第１の読み出し周期、及び書き込み周期よりも短い第２の読み出し周期で、画像データ記録手段から画像データを読み出す読み出し手段と、読み出された画像データを表示手段に出力する出力手段と、第１の読み出し周期による読み出しと第２の読み出し周期による読み出しとが周期的に切り替えられるように読み出し手段を制御する読み出し制御手段とを備えるものである。
【発明の効果】
【０００７】
本発明に係る信号処理装置は、第１の読み出し周期による読み出しと第２の読み出し周期による読み出しとが周期的に切り替えられるように読み出し手段を制御するので、読み出しが不連続となる頻度が低減され、表示手段における映像の不連続表示の頻度を低減することができる。
【発明を実施するための最良の形態】
【０００８】
実施の形態１．
図１は実施の形態１に係る液晶テレビ１０の構成を示す概略図である。図示の液晶テレビ１０は、信号処理部９、及び液晶モジュール１６を有している。信号処理部９は、周波数計測部１１、タイミング発生部１２、画像処理部１３、フレームメモリー１４、制御部１５、から構成される。液晶テレビ１０は、映像信号を発生する供給部（図示せず）に接続されており、供給部から受けた映像信号に基づいて液晶モジュール１６に映像を表示する。映像信号は、画像信号としてのデジタルビデオ信号Ｖｄと当該デジタルビデオ信号の同期信号Ｓｙとから構成されている。
【０００９】
周波数計測部１１は、供給部から受けた同期信号Ｓｙに含まれる水平同期信号および垂直同期信号の周波数をそれぞれ計測し、制御信号Ｓｃとして制御部１５に出力する。制御部１５は、周波数計測部１１から出力された制御信号Ｓｃを受け、制御信号Ｓｃに含まれる周波数の計測結果から、映像信号のフォーマット（４８０ｉ等）を判定する。
【００１０】
タイミング発生部１２は、供給部から受けた同期信号Ｓｙ、及び制御部１５から出力される制御信号Ｓｃの指示によって、液晶モジュール１６に適した周期の液晶タイミング信号を生成し、出力する。液晶タイミング信号は、映像エリア信号Ｓｅ、及びクロックＳｋなどから構成されている。また、タイミング発生部１２は、フレームメモリー１４への画像処理部１３によるメモリー画像用信号Ｖｍの書き込み、または読み出しを指示するリード、ライト信号Ｓｗｒをフレームメモリー１４に出力する。リード信号には、画像データの読み出し周期の情報が含まれており、ライト信号には、画像データの書き込み周期の情報が含まれている。また、画像処理部１３における画像処理タイミングを指示する画像処理タイミング信号Ｓｔを生成し、画像処理部１３へ出力する。
【００１１】
画像処理部１３は、制御部１５からの制御信号Ｓｃによる指示、および、画像処理タイミング信号Ｓｔによって、デジタルビデオ信号Ｖｄを液晶モジュール１６に適した画像信号へ拡大、縮小処理する。この際、画像信号をメモリー画像用信号Ｖｍによってフレームメモリー１４へ蓄え、処理を行う。また、画像処理部１３は、出力手段として、処理後の画像信号を液晶画像信号Ｖｐとして液晶モジュール１６へ出力する。
【００１２】
画像処理部１３のメモリー画像用信号Ｖｍによる画像データの書き込み、及び読み込みは、制御部１５からの制御信号Ｓｃによる指示、および、画像処理タイミング信号Ｓｔによって行われる。フレームメモリー１４からの画像データ読み出しは、リード信号に含まれる読み出し周期で行われ、フレームメモリー１４への画像データの書き込みは、ライト信号に含まれる書き込み周期で行われる。このように、画像処理部１３は、タイミング発生部１２と共に書き込み手段及び読み出し手段を構成している。
【００１３】
フレームメモリー１４は、リード、ライト信号Ｓｗｒ、メモリー画像用信号Ｖｍに従い、画像信号を一時的に蓄える。フレームメモリー１４は、画像信号に含まれる画像データを記録する画像データ記録手段である。
【００１４】
制御部１５は、制御信号Ｓｃによって、受信するデジタルビデオ信号Ｖｄの同期信号Ｓｙの情報を周波数計測部１１から得、タイミング発生部１２、画像処理部１３の処理方法と出力を指示する。また、制御部１５は、周波数計測部１１から、同期信号Ｓｙに含まれる垂直同期信号の周期Ｖｉを取得し、取得した周期Ｖｉから液晶モジュール１６への垂直同期信号の周期Ｖｏを決定する。周期Ｖｏは、液晶モジュール１６が表示可能な離散的に存在する周期のうち、周期Ｖｉを挟んで隣接する第１の周期Ｖｏ１又は第２の周期Ｖｏ２のいずれかの周期とする。制御部１５は、決定した周期Ｖｏに基づいて、ある期間の間Ｖｏ＝Ｖｏ１となり、またある期間の間Ｖｏ＝Ｖｏ２となるように定期的にタイミング発生部１２を制御する。このように、制御部１５は、タイミング発生部１２と画像処理部１３とからなる読み出し手段の読み出し周期を制御する読み出し制御手段としての機能を有している。
【００１５】
制御部１５によりタイミング発生部１２が制御されることで、タイミング発生部１２からは、制御された周期情報を含む映像エリア信号Ｓｅ及びクロックＳｋからなる液晶タイミング信号が液晶モジュール１６へ出力される。表示手段としての液晶モジュール１６は、液晶画像信号Ｖｐ、映像エリア信号Ｓｅ及びクロックＳｋからなる液晶タイミング信号を受け映像を表示する。
【００１６】
次に、本発明に係る液晶テレビの動作について説明する。まず比較のために従来の液晶テレビの動作を説明し、それから本発明の液晶テレビの動作を説明する。
【００１７】
図２は従来の液晶テレビにおけるフレーム落ちの発生を示す概略図である。図２を用いて周期Ｖｉ＜周期Ｖｏのフレーム落ちの場合を説明する。図２は、図中左から右に向かって時間が経過するにつれ、フレームメモリー１４に書き込まれる画像データとフレームメモリー１４から読み出される画像データとが順次変化してく様子を２段に分けて示している。
【００１８】
ここで、画像処理部１３が制御部１５から１フレーム分の画像データを読み出すよう指示を受けた場合は、画像データの読み出し開始時に、直前に書き込みが完了した画像データを読み出すよう動作するものとする。例えば、図２における読み出し開始時刻ａでは、画像処理部１３は、書き込み中の４フレーム目の画像データではなく、直前に書き込みが完了している３フレーム目の画像データを読み出す動作をする。
【００１９】
図２において、２フレーム目の画像データの書き込み開始時刻と１フレーム目の画像データの読み出し開始時刻は一致している。しかし周期Ｖｉが周期Ｖｏよりも短いことから、３フレーム目の画像データの書き込み開始時刻は、２フレーム目の画像データの読み出し開始時刻よりも、周期Ｖｏと周期Ｖｉとの差に相当する期間ΔＶｘ１だけ早まっている。周期Ｖｉが周期Ｖｏよりも短いという関係はその後も変化しないため、画像データの読み出しを行うごとに周期Ｖｉと周期Ｖｏとの差に相当する期間ΔＶｘずつ読み出し開始時刻に当たる箇所がずれていく。
【００２０】
図２では、ｎ＋２フレーム目の画像データの書き込み開始時刻とｎ＋１フレーム目の画像データの読み出し開始時刻との差である期間ΔＶｘｎは周期Ｖｉを越えていないため、ｎ＋１フレーム目の画像データの読み出しまでは、画像データを順に読み出している。しかし、ｎ＋３フレーム目の画像データの書き込み開始時刻とｎ＋２フレーム目の画像データの読み出し開始時刻との差である期間ΔＶｘ（ｎ＋１）は周期Ｖｉを越えていることから、ｎ＋２フレーム目の画像データは読み出しを飛ばされ、ｎ＋３フレーム目の画像データが読み出されている。そのため、液晶テレビ１０の表示としては、ｎ＋２フレーム目の画像データが表示されず、不連続表示となる。
【００２１】
このように、書き込み開始時刻と読み出し開始時刻との差である期間ΔＶｘが周期Ｖｉを超えたところでフレーム落ちが発生し、不連続表示となる。このフレーム落ちは、その後も期間ΔＶｘが周期Ｖｉを超えるたびに定期的に発生するので、不連続表示も定期的に発生することとなる。
【００２２】
なお、図２においては、周期Ｖｉ＜周期Ｖｏのフレーム落ちの場合を説明したが、逆に周期Ｖｉ＞周期Ｖｏの場合は、フレームの２度書きが発生する。フレームの２度書きについても、フレーム落ちの場合と同様に考えることができる。周期Ｖｉと周期Ｖｏとの差である期間ΔＶｘが画像データの読み出しを行うごとに増加していき、期間ΔＶｘが周期Ｖｉを越える度に定期的にフレームの２度書きが発生し、不連続表示となる。
【００２３】
図３は、本発明に係る液晶テレビ１０の動作例について示したものである。図３は、図中左から右に向かって時間が経過するにつれ、フレームメモリー１４に書き込まれる画像データとフレームメモリー１４から読み出される画像データとが順次変化してく様子を３段に分けて示している。図２と同一または対応する部分については同一の符号を付し、説明を省略する。
【００２４】
図３において、制御部１５は、時刻ｔ０から時刻ｔ１まで期間Ｘの間、読み出し周期を第１の周期Ｖｏ１に設定し、時刻ｔ１から時刻ｔ２まで期間Ｙの間、読み出し周期を第２の周期Ｖｏ２に設定するよう、タイミング発生部１２及び画像処理部１３を制御している。また、この周期の切り替えは、その後も期間Ｘ、または期間Ｙが経過する毎に繰り返される。ここで、第１の周期Ｖｏ１は、液晶モジュール１６が表示可能な離散的に存在する周期のうち、周期Ｖｉに隣接し周期Ｖｉよりも長い周期に設定されるものとし、第２の周期Ｖｏ２は、液晶モジュール１６が表示可能な離散的に存在する周期のうち、周期Ｖｉに隣接し周期Ｖｉよりも短い周期に設定されるものとする。
【００２５】
第１の周期Ｖｏ１は周期Ｖｉよりも長く設定されているため、時刻ｔ０から時刻ｔ１まで期間Ｘの間、期間ΔＶｘは時間の経過と共に増加していく。時刻ｔ１での期間ΔＶｘ（ｋ−１）が最大値となるが、この期間ΔＶｘ（ｋ−１）が周期Ｖｉよりも長い場合はフレーム落ちが発生してしまうので、期間Ｘは期間ΔＶｘ（ｋ−１）が周期Ｖｉより長くならない範囲で設定される。
【００２６】
時刻ｔ１になると、周期Ｖｏは第１の周期Ｖｏ１から第２の周期Ｖｏ２に切り替えられる。第２の周期Ｖｏ２は第１の周期Ｖｉよりも短いため、周期Ｖｏが第１の周期Ｖｏ１に設定されていたことによって蓄積されていた期間ΔＶｘは時間の経過と共に減少していく。時刻ｔ１から期間Ｙが経過した時刻ｔ２では期間ΔＶｘ（ｍ−２）は最小となるが、この期間ΔＶｘ（ｍ−２）が負の値である場合はフレームの２度書きが発生してしまうため、期間Ｙは期間ΔＶｘ（ｍ−２）が正または零となる範囲で設定される。
【００２７】
時刻ｔ２になると、再度周期Ｖｏは第２の周期Ｖｏ２から第１の周期Ｖｏ１に切り替えられ、その後は期間Ｘ、または期間Ｙが経過する度に、周期Ｖｏが周期Ｖｏ１または周期Ｖｏ２に交互に切り替えられる。
【００２８】
このように、第１の周期Ｖｏ１を周期Ｖｉよりも長く、第２の周期Ｖｏ２を周期Ｖｉよりも短く設定した場合は、期間ΔＶｘが零以上であって周期Ｖｉ以下になるように、周期Ｖｏを第１の周期Ｖｏ１または第２の周期Ｖｏ２に切り替えることで、フレーム落ち及びフレームの２度書きを防ぎ、不連続表示の発生を防ぐことができる。
【００２９】
次に、第１の周期Ｖｏ１、第２の周期Ｖｏ２、期間Ｘ、及び期間Ｙのより具体的な設定について説明する。以下では、周期Ｖｉ＝１６．６８３３５ｍＳｅｃ(周波数＝５９．９４Ｈｚ)であり、使用する液晶モジュール１６の仕様により、クロックＳｋの周波数（Ｆｓｋ）＝８２ＭＨｚ、映像エリア信号Ｓｅに含まれる水平周期＝１７０６／Ｆｓｋに設定するものとする。
【００３０】
周期Ｖｏ＝（映像エリア信号Ｓｅに含まれる水平周期）×（映像エリア信号Ｓｅに含まれる総ライン数）であるので、周期Ｖｉを挟んで隣接する２つの周期Ｖｏ１とＶｏ２は、映像エリア信号Ｓｅに含まれる総ライン数が８０２の場合の１６．６８５５１ｍＳｅｃと、映像エリア信号Ｓｅに含まれる総ライン数が８０１の場合の１６．６６４７１ｍＳｅｃとなる。
【００３１】
ここで、第１の周期Ｖｏ１＝１６．６８５５１ｍＳｅｃ、第２のＶｏ２＝１６．６６４７１ｍＳｅｃであるとすると、周期Ｖｉと第１の周期Ｖｏ１との周期差ΔＶ１は、２．１６μＳｅｃとなり、周期Ｖｉと第２の周期Ｖｏ２との周期差ΔＶ２は、１８．６４μＳｅｃとなる。
【００３２】
周期差ΔＶ１と周期差ΔＶ２とを互いに打ち消し合うように発生させれば、結果的に読み出しの周期Ｖｏとしては周期Ｖｉとの周期差が生じず、不連続表示の発生を防ぐことができる。
【００３３】
このような状況となるのは、画像信号に含まれる画像データ数（すなわち、周期が周期Ｖｉの画像データ数）をｈとし、読み出される画像データのうち周期が周期Ｖｏ１の画像データ数をｊ、周期が周期Ｖｏ２の画像データ数をｋとしたときに、以下の条件を満たす場合である。
【００３４】
【数１】
2010204253.tif 000003
【００３５】
また、上記の式は、Ｖｏ＝Ｖｏ１で動作するよう設定している累積の期間Ｘと、Ｖｏ＝Ｖｏ２で動作するよう設定している累積の期間Ｙとで表現すると、Ｖｏ＝Ｖｏ１で動作している期間Ｘはｊ×Ｖｏ１（ｓｅｃ）であり、Ｖｏ＝Ｖｏ２で動作している期間Ｙはｋ×Ｖｏ２（ｓｅｃ）であることから、次のように書ける。
【００３６】
【数２】
2010204253.tif 000004
【００３７】
上記の設定値では、期間Ｘ：期間Ｙ＝８．６３:１．００となる。従って、期間ＸとＹがこの比率となるように、制御部１５がタイミング発生部１２を制御することにより、最も効果的に不連続表示の頻度を低減できる。具体的な制御としては、映像エリア信号Ｓｅに含まれる総ライン数が８０２と８０１との間で切替わり、周期Ｖｏが第１周期Ｖｏ１と第２周期Ｖｏ２との間で切替わるように設定変更すればよい。また、期間Ｘと期間Ｙは不連続表示が起きる期間より十分短い時間である必要がある。
【００３８】
なお、上述のように期間Ｘ:期間Ｙ＝８．６３:１．００の比率でＶｏ＝Ｖｏ１とＶｏ＝Ｖｏ２の切り替えを行うと最も効果的に不連続表示の頻度を低減できるが、必ずしもこのような高い精度で制御しなくとも、十分な効果を得ることができる。以下では大まかに期間Ｘ:期間Ｙ＝９:１でＶｏ＝Ｖｏ１とＶｏ＝Ｖｏ２の切り替えを行う場合について、例えば、Ｖｏ＝Ｖｏ１の期間Ｘ＝９Ｓｅｃ、Ｖｏ＝Ｖｏ２の期間Ｙ＝１Ｓｅｃになるよう制御した場合を説明する。
【００３９】
この場合の液晶モジュール１６への仮想垂直同期信号周期(Ｖｏｖ)は、Ｖｏ＝Ｖｏ１、Ｖｏ＝Ｖｏ２の切り替え期間が不連続表示発生期間よりも十分短いので、下記に近似できる。
【００４０】
【数３】
2010204253.tif 000005
【００４１】
数３より、Ｖｏｖ＝１６．６８３４３ｍＳｅｃとなるので、仮想垂直同期信号周期Ｖｏｖと周期Ｖｉとの周期差ΔＶ＝０．０８μＳｅｃとなる。そのため、フレーム落ちによる不連続表示は、Ｖｉ／ΔＶ＝２０８５４１．８８≒２０８５４２フレーム毎、すなわち、２０８５４フレーム２×Ｖｉ＝３４７９．１８Ｓｅｃ毎に発生することになる。
【００４２】
一方、垂直同期信号周期Ｖｏを第１の周期Ｖｏ１に固定したときのフレーム落ちによる不連続表示は、Ｖｉ／ΔＶ１＝７７２３．７７≒７７２４フレーム毎、すなわち、７７２４フレーム×Ｖｉ＝１２８．８９Ｓｅｃ毎に発生し、垂直同期信号周期Ｖｏを第２の周期Ｖｏ２に固定したときのフレームの２度書きによる不連続表示は、Ｖｉ／ΔＶ１＝８９５．０３≒８９５フレーム毎、すなわち、８９５フレーム×Ｖｉ＝１４．９３Ｓｅｃ毎に発生する。従って、垂直同期信号周期Ｖｏをいずれかの周期に固定した場合に比べ、Ｖｏ＝Ｖｏ１の期間Ｘ＝９Ｓｅｃ、Ｖｏ＝Ｖｏ２の期間Ｙ＝１Ｓｅｃになるよう制御した場合は、不連続表示の頻度が大幅に低減されることになる。そのため、映像が一定速度で移動するようなシーンなどで不連続表示が発生したときの違和感を覚える頻度を大幅に低減することができる。
【００４３】
なお、上述では、一例として期間Ｘ:期間Ｙ＝９:１となる条件を満たすように制御するものとしたが、周期Ｖｏとの差が小さい方の周期（Ｖｏ１又はＶｏ２）が設定される期間よりも、周期Ｖｏとの差が大きい方の周期（Ｖｏ２又はＶｏ１）設定される期間の方が短くなるように制御することで、不連続表示の頻度を低減することができる。
【００４４】
以上のように、本発明に係る液晶テレビにおいては、前記周期決定手段は、前記表示手段の表示周期に対応して離散的に存在する複数の読み出し周期のうち、前記書き込み周期を挟んで隣接する第１の読み出し周期又は第２の読み出し周期を前記読み出し周期とし、前記書き込み周期との差が小さい方の第１の読み出し周期又は第２の読み出し周期が前記読み出し周期とされる期間よりも、前記書き込み周期との差が大きい方の第１の読み出し周期又は第２の読み出し周期が前記読み出し周期とされる期間の方が短くなるようにしたので、不連続表示の頻度を低減することができる。
【００４５】
また、第１の周期と第１の存在係数との積と、第２の周期と第２の存在係数との積との和が、書き込み周波数となるように、読み出し周波数を第１の読み出し周期又は第２の読み出し周期に切替えることにより、不連続表示の発生を防ぐことができる。
【００４６】
また、上記の切替制御は制御部１５のマイクロコンピュータ（以下、マイコンを称す）が行うため、上述のように制御の精度を下げることで、安価なマイコンを採用することができる。
【００４７】
なお、上述では、本発明を液晶テレビに適用した例について説明したが、本発明は液晶に限らず、ＰＤＰ、ＥＬなどのデジタル表示装置に広く適応可能である。
【００４８】
なお、上述では、垂直同期信号周期Ｖｏは、液晶モジュール１６が表示可能な周期のうち、垂直同期信号周期Ｖｉを挟んで隣接する第１の周期Ｖｏ１又は第２の周期Ｖｏ２のいずれかの周期であるとしたが、第１の周期Ｖｏ１及び第２の周期Ｖｏ２以外の周期とすることもできる。すなわち、垂直同期信号周期Ｖｉよりも長く２×Ｖｉよりも短い周期を第１の周期とし、垂直同期信号周期Ｖｉよりも短い周期を第２の周期とし、第１の周期と第２の周期のうち垂直同期信号周期Ｖｉに近い方の周期が垂直同期信号周期Ｖｏ設定される時間が長くなるように設定することで、不連続表示の頻度を低減することができる。但し、第１の周期および第２の周期として、いずれも垂直同期信号周期Ｖｉに近い周期を選択することが望ましい。
【図面の簡単な説明】
【００４９】
【図１】本発明の一実施形態に係る液晶テレビを示す概略図
【図２】従来の液晶テレビに係るフレーム落ちの発生を示す概略図
【図３】本発明の一実施形態に係る液晶テレビの順次表示するフレームを示す概略図。
【符号の説明】
【００５０】
１０  液晶テレビ
１１  周波数計測部
１２  タイミング発生部
１３  画像処理部
１４  フレームメモリー
１５  制御部
１６  液晶モジュール
【図１】
2010204253.tif 000006
【図２】
2010204253.tif 000007
【図３】
2010204253.tif 000008